(57)【要約】【課題】コースター機能を果たす部分を一体に有していて、側面からしたたり落ちる水滴を溜め、しかもそれが飲用時にこぼれ出ることがなく、更に全体の洗浄が可能で清潔に保持でき、反復使用に適するしずく受け付きカップを提供することを課題とする。【解決手段】カップ本体１の底部に一体に盆状のしずく受け２を備え、前記しずく受け２の周壁３上部を内方に湾曲させたことを特徴とする。前記しずく受け２内に、１又は複数の仕切壁５を設け、あるいは、前記しずく受け２の内底面から内側面にかけて延びる溝を多数条設けることが好ましい。【選択図】図３
2006075206.tif 000002
【特許請求の範囲】
【請求項１】
カップ本体の底部に一体に盆状のしずく受けを備え、前記しずく受けの周壁上部を内方に湾曲させたことを特徴とするしずく受け付きカップ。
【請求項２】
カップ本体の底部に一体に盆状のしずく受けを備え、前記しずく受け内に、１又は複数の仕切壁を設けたことを特徴とするしずく受け付きカップ。
【請求項３】
カップ本体の底部に一体に盆状のしずく受けを備え、前記しずく受けの内底面から内側面にかけて延びる溝を多数条設けたことを特徴とするしずく受け付きカップ。
【請求項４】
前記しずく受けの周壁上部を内方に湾曲させた請求項２又は３に記載のしずく受け付きカップ。
【発明の詳細な説明】
【技術分野】
【０００１】
本発明はしずく受け付きカップ、より詳細には、ビール、冷酒、ジュースその他の清涼飲料のような冷たい飲み物用のカップであって、テーブル等載置時や飲用時に外側面を伝って流れ落ちるしずくが、外部にこぼれ落ちたりしないしずく受け付きカップに関するものである。
【背景技術】
【０００２】
ビール、冷酒、ジュース等の冷たい飲み物を飲む場合は、主にガラスや陶磁製のカップを用いるが、冷たい飲み物の場合はカップに注いだ後しばらくすると、カップ外側面に結露し、それがしたたり落ちる。そこで、カップの下に吸水性のコースターが敷かれる。
【０００３】
しかるに、コースターは常時備わっている訳ではなく、特に一般家庭においては余り使用されない。従って、しずくが垂れることを忍従しつつ飲用しているのが現状である。
【０００４】
かかる現状に鑑み、容器の下にコースターを取り付けた飲物保存用のドリンク容器が提唱されている（特開平９−３０１３７４号公報）。このドリンク容器においては、コースターが底面に固定されたままの容器を用いて中身を飲もうと容器を傾けると、コースターの上に溜った水滴が飲む人の着ている服の上などに落ちてしまう恐れがあるので、これを防ぐためにはコースターを取り外せるようにするか、またはコースターの容器受け面に水分を吸収して放さない素材でできている水分吸収体を設けておくとされている。
【特許文献１】特開平９−３０１３７４号公報
【発明の開示】
【発明が解決しようとする課題】
【０００５】
上記従来のコースター付きドリンク容器の場合は、飲用時における水滴落下防止のために、コースターを取り外し可能に構成されるが、これでは一般のコースターを用いるのと大差がなくなり、また、水分吸収体を用いて構成される場合には、構成が複雑になり、反復使用する場合には洗浄も困難であって、不衛生である。
【０００６】
そこで本発明は、コースター機能を果たす部分を一体に有していて、側面からしたたり落ちる水滴を溜め、しかもそれが飲用時にこぼれ出ることがなく、更に全体の洗浄が可能で清潔に保持でき、反復使用に適するしずく受け付きカップを提供することを課題とする。
【課題を解決するための手段】
【０００７】
上記課題を解決するために請求項１に係る発明は、カップ本体の底部に一体に盆状のしずく受けを備え、前記しずく受けの周壁上部を内方に湾曲させたことを特徴とするしずく受け付きカップを提唱する。
【０００８】
上記課題を解決するために請求項２に係る発明は、カップ本体の底部に一体に盆状のしずく受けを備え、前記しずく受け内に、１又は複数の仕切壁を設けたことを特徴とするしずく受け付きカップを提唱する。
【０００９】
上記課題を解決するために請求項３に係る発明は、カップ本体の底部に一体に盆状のしずく受けを備え、前記しずく受けの内底面から内側面にかけて延びる溝を多数条設けたことを特徴とするしずく受け付きカップを提唱する。
【発明の効果】
【００１０】
本発明に係るカップによれば、外側面に結露してしたたり落ちるしずくはしずく受け内に受け止められて溜まり、カップを置いたテーブル等を濡らすことがなく、また、飲用のためにしずくが溜まった状態で傾けても、上部が内方に湾曲するしずく受けの周壁により、貯溜しずくのこぼれ落ちが防止される。
【００１１】
しずく受け内に仕切壁を設けたときはそれに遮止されるために、また、溝を設けたときはそこに分散して溜まり、カップを傾けた場合のしずく受け内におけるしずくの流動が少なくなるために、それぞれ上記飲用時における貯溜しずくのこぼれ落ち防止が一層確実なものとなる。
【発明を実施するための最良の形態】
【００１２】
本発明を実施するための最良の形態について、添付図面に依拠して説明する。図１はその第１の実施形態の正面図、図２はその縦断面図で、本しずく受け付きカップは、陶磁器製、ガラス製又はプラスチック製であって、カップ本体１と、カップ本体１の底部に一体に形成される周壁付きしずく受け２とから成る。
【００１３】
カップ本体１は円錐形、円筒形、多角形その他任意の形状とすることができ、必要に応じて取っ手を取り付けることもできる。しずく受け２は、カップ本体１に対応させて円形、多角形等に形成され、通常カップ本体１はしずく受け２の中心部に配置される。
【００１４】
しずく受け２の周壁３は断面が湾曲していて、上部が内方に向いていることが好ましい。かくして単なる直立壁の場合よりも、周壁３に囲まれるしずく貯溜部４の貯溜容積が増え、以てしずくのこぼれ落ち防止効果が増大する。
【００１５】
図３に示す第２の実施形態は、上記しずく受け２内に、貯溜部４内における貯溜しずくの移動を防止する仕切壁５を、１又は複数（図示した例では４）設けたものである。仕切壁５は、カップを傾けた際に、しずく貯溜部４内の隣り合う２つの仕切壁５、５内の貯溜しずくを受ける。
【００１６】
図４に示す第３の実施形態は、しずく受け２のしずく貯溜部４の内底面から内側面にかけ、多数条の溝６を形成したものである。この実施形態においては、カップを傾けた場合に貯溜しずくは、しずく貯溜部４内において一気に下方に移動することなく各溝６内に分散して溜まるので、貯溜しずくはしずく受け２からこぼれ落ちにくくなる。
【００１７】
以上いずれの実施形態においても、しずく受け２はカップ本体１に一体化されているので、別途コースターを用意するなどの配慮は不要であり、また、しずく受け２はカップ本体１と共に洗浄が可能なため、常時清潔状態を維持することができる。
【００１８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００１９】
【図１】本発明に係るしずく受け付きカップの第１の実施形態を示す正面図である。
【図２】本発明に係るしずく受け付きカップの第１の実施形態を示す正面断面図である。
【図３】本発明に係るしずく受け付きカップの第２の実施形態を示す斜視図である。
【図４】本発明に係るしずく受け付きカップの第３の実施形態を示す正面縦断面図である。
【図５】図４におけるＡ−Ａ線断面図である。
【符号の説明】
【００２０】
１    カップ本体
２    しずく受け
３    周壁
４    しずく貯溜部
５    仕切壁
６    溝
【図１】
2006075206.tif 000003
【図２】
2006075206.tif 000004
【図３】
2006075206.tif 000005
【図４】
2006075206.tif 000006
【図５】
2006075206.tif 000007